(57)【要約】  位置測定方法は、移動局に対する第１レンジングコードおよび第１レンジング区間を割り当てる段階、隣接する基地局から前記移動局に対する第２レンジングコードおよび第２レンジング区間に対する割り当て情報を受信する段階、前記第１レンジングコードおよび前記第２レンジングコードを含むレンジング情報を前記移動局に伝送する段階、前記第１レンジング区間で前記移動局から前記第１レンジングコードを受信する段階、前記第１レンジングコードについて、受信した時間の調整値を計算する段階、前記第２レンジングコードについて、受信した時間の調整値を前記隣接基地局から受信する段階、および前記第１レンジングコードの受信時間の調整値および前記第２レンジングコードの受信時間の調整値によって前記移動局の位置を測定する段階を含む。これにより、既存のシステムで使用されるレンジング方式を変更して移動局の位置を測定することによって、費用および効率を改善することができる。
2010515916.tif 000002
【特許請求の範囲】
【請求項１】
移動局に対する第１レンジングコードおよび第１レンジング区間を割り当てる段階、
隣接する基地局から前記移動局に対する第２レンジングコードおよび第２レンジング区間に対する割り当て情報を受信する段階、
前記第１レンジングコードおよび前記第２レンジングコードを含むレンジング情報を前記移動局に伝送する段階、
前記第１レンジング区間で前記移動局から前記第１レンジングコードを受信する段階、
前記第１レンジングコードについて、受信した時間の調整値を計算する段階、
前記第２レンジングコードについて、受信した時間の調整値を前記隣接基地局から受信する段階、および
前記第１レンジングコードの受信時間の調整値および前記第２レンジングコードの受信時間の調整値によって前記移動局の位置を測定する段階
を含むことを特徴とする位置測定方法。
【請求項２】
前記第２レンジングコードおよび第２レンジング区間に対する割り当て情報を受信する段階は、
前記移動局に対する専用レンジング割り当て要求を前記隣接基地局に伝送する段階、および
前記移動局に対する第２レンジングコードを含む応答信号を受信する段階を含む
ことを特徴とする請求項１に記載の位置測定方法。
【請求項３】
前記第１レンジングコードおよび前記第２レンジングコードを含むレンジング情報を前記移動局に伝送する段階は、
前記第１レンジングコード、第１ランデブー時間および第１伝送機会オフセットを含む第１レンジング信号を伝送する段階、および
前記第１レンジングコードの前記受信時間の調整値を計算した後、前記第２レンジングコード、第２ランデブー時間および第２伝送機会オフセットを含む第２レンジング信号を伝送する段階を含む
ことを特徴とする請求項２に記載の位置測定方法。
【請求項４】
前記第１レンジング信号を伝送した後、前記第１ランデブー時間後の第１フレームの前記第１伝送機会オフセットで前記第１レンジングコードを受信する段階、および
前記第２レンジング信号を伝送した後、前記第２ランデブー時間後の第１フレームの前記第２伝送機会オフセットで前記第２レンジングコードを受信する段階
を含むことを特徴とする請求項３に記載の位置測定方法。
【請求項５】
前記第２ランデブー時間を、前記隣接基地局から第２ランデブー時間を受信した時点から、第２レンジング信号を伝送するための時間を減算して計算された時間を使用して補正し、この補正した第２ランデブー時間を伝送する段階
を含むことを特徴とする請求項４に記載の位置測定方法。
【請求項６】
隣接基地局および移動局に対する専用レンジングコードおよび専用レンジング区間を交渉する段階、
前記専用レンジングコードを含むレンジング信号を前記移動局に伝送する段階、
前記移動局から前記専用レンジングコードを前記専用レンジング区間で受信する段階、
前記専用レンジングコードについて、受信した時間の調整値を演算する段階、
前記専用レンジングコードについて、受信した時間の調整値を前記隣接基地局から受信する段階、および
前記専用レンジングコードの受信時間の調整値によって前記移動局の位置を測定する段階
を含むことを特徴とする位置測定方法。
【請求項７】
前記レンジング信号は、前記専用レンジングコード、ランデブー時間および伝送機会オフセットを含むことを特徴とする請求項６に記載の位置測定方法。
【請求項８】
前記レンジング信号は、電力レベル調整値をさらに含むことを特徴とする請求項７に記載の位置測定方法。
【請求項９】
移動局に対する第１レンジングコードおよび第１レンジング区間を割り当てる段階、
前記第１レンジングコードおよび前記第１レンジング区間に対する情報を前記移動局に伝送する段階、
前記移動局から前記第１レンジングコードを前記第１レンジング区間で受信する段階、および
前記第１レンジングコードについて、受信した時間の調整値を計算する段階
を含むことを特徴とする位置測定方法。
【請求項１０】
前記移動局に対する第２レンジングコードおよび第２レンジング区間の割り当てを隣接基地局に要請する段階、
前記隣接基地局から、前記移動局に対する第２レンジングコードおよび第２レンジング区間に対する情報を受信する段階、
前記第２レンジングコードを含むレンジング情報を前記移動局に伝送する段階、
前記移動局から前記第２レンジングコードを受信した時間の調整値を、前記隣接基地局から受信する段階、および
前記第１レンジングコードの受信時間の調整値および前記第２レンジングコードの受信時間の調整値によって前記移動局の位置を測定する段階
を含むことを特徴とする請求項９に記載の位置測定方法。
【請求項１１】
前記第１レンジング区間に対する情報は、第１ランデブー時間および第１伝送機会オフセットを含み、
前記第２レンジング区間に対する情報は、第２ランデブー時間および第２伝送機会オフセットを含む
ことを特徴とする請求項１０に記載の位置測定方法。
【請求項１２】
前記隣接基地局から受信した前記第２ランデブー時間から、第２レンジング信号を移動局に伝送するための時間を減算して計算された時間情報を、第２ランデブー時間として伝送することを特徴とする請求項１１に記載の位置測定方法。
【発明の詳細な説明】
【技術分野】
【０００１】
本発明は、無線通信システムにおける移動局の位置測定方法に関する。特に、本発明はＩＥＥＥ（Institute of Electrical and Electronics Engineers）８０２．１６のような広帯域無線接続システムで専用レンジングを通した移動局の位置測定方法に関する。
【０００２】
本発明は、情報通信部および情報通信研究振興院の情報通信標準開発支援の一環として行った研究から導き出されたものである[課題管理番号:２００７-Ｐ１０-０３、課題名:ＷｉＢｒｏ  Ｅｖｏｌｕｔｉｏｎ標準開発]。
【背景技術】
【０００３】
広帯域無線接続システムは、固定されたアクセスポイント（access point）を利用する近距離データ通信方式における移動性を支援する次世代通信方式である。このような広帯域無線接続システムに対して多様な標準が提案されており、ＩＥＥＥ８０２．１６グループで広帯域無線接続システムの国際標準化の開発が活発に行われている。
【０００４】
従来の無線ＬＡＮ（Local Area Network）方式は、固定されたアクセスポイントを中心に近距離内での無線通信が可能であるが、これは無線方式で近距離のデータ通信を支援するだけで移動局の移動性は保障しない。
【０００５】
ＩＥＥＥ８０２．１６のような広帯域無線接続方式は、移動局が一つの基地局がカバーするセルから他の基地局がカバーする他のセルに移動する場合でも、シームレスなデータ通信サービスを提供して移動性を保障している。
【０００６】
移動通信システムで移動局の位置推定には、移動局に位置推定のための装置を取り付ける方式、移動局が特定信号を発生する方式、移動局および基地局で別途に割り当てられたチャンネルを利用する方式、および基地局の三角位置決め方式などが用いられる。
【０００７】
移動局に位置推定装置を取り付ける方式は、ＧＰＳ（Global Positioning System）を用いることができ、ＧＰＳを通して得られた情報を基地局に伝送して移動局の位置を推定する。移動局が特定信号を発生する方式では、基地局または中継器で移動局が発信した特定信号を受信して位置を推定する。移動局および中継器が別途に割り当てられたチャンネルを利用する方式は、特定チャンネルを通して位置情報を交換することによって、位置を推定する。基地局の三角位置決め方式は、三つ以上の基地局で特定の移動局が放射する周波数を測定して、三角位置決め法で移動局の位置を推定する。
【０００８】
しかしながら、このような移動局の位置推定方式は、移動局に追加装置を取り付けたり、追加機能を実行するように制御するため、費用、効率、及び周波数の活用の側面で不利である。また、すべての基地局が同一の周波数を利用する場合には、既存の移動通信の三角位置決め方式を利用することは困難である。
【０００９】
移動局と複数の基地局との間の信号到着時間の差を利用して移動局の位置を推定でき、信号到着時間の差は移動局の基本機能であるレンジング処理を通して測定できる。しかしながら、レンジング方式は、競争基盤の接続方式で複数の移動局が同時にレンジング処理を試みる場合、衝突が発生して当該移動局が伝送した信号の到着時間を測定し難くなる。
【００１０】
また、ＩＥＥＥ８０２．１６のような広帯域無線接続システムにおけるレンジング処理はＣＤＭＡ（Code Division Multiple Access）コードを通して行われ、この時、ＣＤＭＡコードは使用者情報を含んでいないので、当該ＣＤＭＡコードを伝送した移動局の識別が難しくなり、従って移動局の位置測定が困難になる。
【発明の概要】
【発明が解決しようとする課題】
【００１１】
本発明は、広帯域無線接続システムで移動局のレンジング機能を利用して、効率的に移動局の位置を測定できる位置測定方法を提供することを目的とする。
【課題を解決するための手段】
【００１２】
本発明の１の観点による位置測定方法は、移動局に対する第１レンジングコードおよび第１レンジング区間を割り当てる段階、隣接する基地局から前記移動局に対する第２レンジングコードおよび第２レンジング区間に対する割り当て情報を受信する段階、前記第１レンジングコードおよび前記第２レンジングコードを含むレンジング情報を前記移動局に伝送する段階、前記第１レンジング区間で前記移動局から前記第１レンジングコードを受信する段階、前記第１レンジングコードについて、受信した時間の調整値を計算する段階、前記第２レンジングコードについて、受信した時間の調整値を前記隣接基地局から受信する段階、および前記第１レンジングコードの受信時間の調整値および前記第２レンジングコードの受信時間の調整値によって前記移動局の位置を測定する段階を含む。
【００１３】
前記第２レンジングコードおよび第２レンジング区間に対する割り当て情報を受信する段階は、前記移動局に対する専用レンジング割り当て要求を前記隣接基地局に伝送する段階、および前記移動局に対する第２レンジングコードを含む応答信号を受信する段階を含むことができる。
【００１４】
前記第１レンジングコードおよび前記第２レンジングコードを含むレンジング情報を前記移動局に伝送する段階は、前記第１レンジングコード、第１ランデブー時間および第１伝送機会オフセットを含む第１レンジング信号を伝送する段階、および前記第１レンジングコードの前記受信時間の調整値を計算した後、前記第２レンジングコード、第２ランデブー時間および第２伝送機会オフセットを含む第２レンジング信号を伝送する段階を含むことができる。
【００１５】
前記第１レンジング信号を伝送した後、前記第１ランデブー時間後の第１フレームの前記第１伝送機会オフセットで前記第１レンジングコードを受信する段階、および  前記第２レンジング信号を伝送した後、前記第２ランデブー時間後の第１フレームの前記第２伝送機会オフセットで前記第２レンジングコードを受信する段階を含むことができる。
【００１６】
前記第２ランデブー時間を、前記隣接基地局から第２ランデブー時間を受信した時点から、第２レンジング信号を伝送するための時間を減算して計算された時間を使用して補正し、この補正した第２ランデブー時間を伝送する段階を含むことができる。
【００１７】
また、本発明の他の１の観点による位置測定方法は、前記専用レンジングコードを含むレンジング信号を前記移動局に伝送する段階、前記移動局から前記専用レンジングコードを前記専用レンジング区間で受信する段階、前記専用レンジングコードについて、受信した時間の調整値を演算する段階、前記専用レンジングコードについて、受信した時間の調整値を前記隣接基地局から受信する段階、および前記専用レンジングコードの受信時間の調整値によって前記移動局の位置を測定する段階を含む。
【００１８】
前記レンジング信号は、前記専用レンジングコード、ランデブー時間および伝送機会オフセットを含むことができる。
【００１９】
前記レンジング信号は、電力レベル調整値をさらに含むことができる。
【００２０】
また、本発明の他の１の観点による位置測定方法は、移動局に対する第１レンジングコードおよび第１レンジング区間を割り当てる段階、前記第１レンジングコードおよび前記第１レンジング区間に対する情報を前記移動局に伝送する段階、前記移動局から前記第１レンジングコードを前記第１レンジング区間で受信する段階、および前記第１レンジングコードについて、受信した時間の調整値を計算する段階を含む。
【００２１】
前記移動局に対する第２レンジングコードおよび第２レンジング区間の割り当てを隣接基地局に要請する段階、前記隣接基地局から、前記移動局に対する第２レンジングコードおよび第２レンジング区間に対する情報を受信する段階、前記第２レンジングコードを含むレンジング情報を前記移動局に伝送する段階、
前記移動局から前記第２レンジングコードを受信した時間の調整値を、前記隣接基地局から受信する段階、および前記第１レンジングコードの受信時間の調整値および前記第２レンジングコードの受信時間の調整値によって前記移動局の位置を測定する段階を含むことができる。
【００２２】
前記第１レンジング区間に対する情報は、第１ランデブー時間および第１伝送機会オフセットを含み、前記第２レンジング区間に対する情報は、第２ランデブー時間および第２伝送機会オフセットを含むことができる。
【００２３】
前記隣接基地局から受信した前記第２ランデブー時間から、第２レンジング信号を移動局に伝送するための時間を減算して計算された時間情報を、第２ランデブー時間として伝送できる。
【発明の効果】
【００２４】
本発明によれば、既存システムで使用するレンジング方式の変形を通して移動局の位置を測定することによって、費用および効率を改善することができる。
【図面の簡単な説明】
【００２５】
【図１】本発明の一実施形態による広帯域無線接続システムにおける移動局の位置測定方法を示す信号フローチャートである。
【図２】本発明の他の実施形態による広帯域無線接続システムにおける移動局の位置測定方法を示す信号フローチャートである。
【発明を実施するための形態】
【００２６】
以下の詳細な説明では、単に例示することで、本発明の好ましい実施形態だけを示して説明する。当業者であれば、説明される実施形態について、本発明の精神または範囲を逸脱しない限り、様々な異なる方法に変形できることを理解するだろう。従って、図面及び詳細な説明は、本来的に例示であり、限定的でないと理解されるべきである。明細書全体にわたって、類似の要素については同一符号を付ける。
【００２７】
本明細書及び以下の特許請求の範囲の全体にわたって、「含む（comprising）」及び「含み（comprises）」のようなそれを変形した用語は、特に反対の記載がない限り、他の構成要素を除外するのではなく、他の構成要素をさらに含むことを意味する。また、本明細書の「〜部（unit）」、「〜器（device）」、「〜モジュール」の用語は、予め設定された機能や動作を処理する単位を意味し、これは、ハードウェア、ソフトウェアまたはハードウェア及びソフトウェアとの結合によって具現できる。
【００２８】
本明細書で、移動局（Mobile Station：ＭＳ）は、端末（terminal）、移動端末（Mobile Terminal：ＭＴ）、加入者局（Subscriber Station：ＳＳ）、携帯加入者局（Portable Subscriber Station：ＰＳＳ）、使用者装置（User Equipment：ＵＥ）および接続端末（Access Terminal：ＡＴ）を示すことができ、移動端末、加入者局、携帯加入者局、および使用者装置の全部または一部の機能を含むこともできる。
【００２９】
本明細書では、基地局（Base Station：ＢＳ）は、アクセスポイント（ＡＰ）、無線接続局（Radio Access Station：ＲＡＳ）、ノードＢ（ＮｏｄｅＢ）、送受信基地局（Base Transceiver Station：ＢＴＳ）、およびＭＭＲ（Mobile Multihop Relay）-ＢＳと称することができ、アクセスポイント、無線接続局、ノードＢ、送受信基地局、およびＭＭＲ-ＢＳなどの全部または一部の機能を含むこともできる。
【００３０】
図１には、本発明の好ましい実施形態における移動局の位置推定方法が示されている。
【００３１】
図１は、本発明の一実施形態による広帯域無線接続システムにおける移動局の位置測定方法を示す信号フローチャートである。
【００３２】
通信システムは、複数の基地局２００、３００および移動局１００を含む。それぞれの基地局２００は、それぞれのセルをカバーする。セルは、複数のセクタを含み、それぞれの基地局２００はセル内の移動局１００と通信する。
【００３３】
図１を参照すると、移動局１００が位置しているセルをカバーする第１基地局２００が、移動局１００の位置測定が必要であると判断すれば、第１基地局２００は隣接した第２基地局３００に、当該移動局１００のための専用レンジング区間の割り当てを要求する（Ｓ１０）。
【００３４】
第１基地局２００が第２基地局３００に要求する専用レンジング区間は、当該移動局１００が第２基地局３００でレンジングを実行する時に用いられるレンジング区間であって、第２基地局３００に登録してサービス中である他の移動局（図示省略）は、当該移動局１００に対する専用レンジング区間を使用できないし、当該移動局１００だけが専用で使用することができる区間である。
【００３５】
第１基地局２００から専用レンジング区間の割り当て要求を受信した第２基地局３００は、専用レンジングに必要なパラメータを割り当て、これを第１基地局２００に伝送する（Ｓ１２）。
【００３６】
この時、第２基地局３００は、専用レンジング区間の割り当てに必要なパラメータにだけ割り当てており、実際レンジング区間割り当ては以降に行われ、この時、割り当てられるパラメータは、ランデブー（Rendezvous）時間、ＣＤＭＡコード、伝送機会オフセット（transmission opportunity offset）等を含む。
【００３７】
第１基地局２００は、当該移動局１００と第１基地局２００との間の専用レンジングのためのパラメータを割り当てる（Ｓ１４）。
【００３８】
このようなパラメータは、ランデブー時間、ＣＤＭＡコードおよび伝送機会オフセットを含む。この時、第１基地局２００が割り当てるパラメータは、第２基地局３００が割り当てたパラメータと種類は同一であるが、その値は互いに異なっていてよい。第１基地局２００が割り当てたパラメータは、第１基地局２００と当該移動局１００との間の専用レンジングに用いられ、第２基地局３００が割り当てたパラメータは、第２基地局３００と当該移動局１００との間の専用レンジングに使用される。
【００３９】
第１基地局２００は、割り当てられたパラメータをＴＬＶ（Type/Length/Value）形式でレンジング応答メッセージ（Ranging Response：ＲＮＧ-ＲＳＰ）内に含め、そのレンジング応答メッセージ（ＲＮＧ-ＲＳＰ）を当該移動局１００に伝送する。この時のレンジング応答メッセージ（ＲＮＧ-ＲＳＰ）は、表１に示す通りである（Ｓ１６）。
【００４０】
【表１】
2010515916.tif 000003
【００４１】
表１に示したように、ランデブー時間は一種のオフセットであって、複数のフレームを含み、レンジング応答メッセージ（ＲＮＧ-ＲＳＰ）が伝送されたフレームから起算される。つまり、ランデブー時間は、第１基地局２００が伝送し、定義された専用レンジング区間（dedicated ranging region）を有するＵＬ−ＭＡＰ（ＵＰＬＩＮＫ-ＭＡＰ）によるフレームを示す。
【００４２】
ＣＤＭＡコードは、移動局１００を識別するコードであって、移動局１００に割り当てられた専用レンジング区間に使用される。
【００４３】
伝送機会オフセットは、複数のシンボル区間で当該移動局１００に割り当てられた固有の伝送開始点を定義する。つまり、移動局１００は、ランデブー時間経過後の第１フレームに受信したＵＬ−ＭＡＰの専用レンジング区間で、伝送機会オフセットによって定義される時点にＣＤＭＡコードを伝送する。
【００４４】
電力レベル調整値（Power Level Adjust）は、移動局１００が伝送したＣＤＭＡコードが適切な強さで第１基地局２００または第２基地局３００に伝送されるための電力レベル調整値を定義しており、周波数再使用係数が１である場合を含むことができる。
【００４５】
第１および第２基地局２００、３００は、フレームに対するリソース割り当て情報をＵＬ−ＭＡＰに定義してこれを移動局１００に伝送する。このようなＵＬ−ＭＡＰは、レンジングのためのレンジング区間の割り当て情報を含む。また、ＵＬ−ＭＡＰは専用レンジング指示子を含み、第１および第２基地局２００、３００が専用レンジングを実行する場合に、専用レンジング指示子を活性化してレンジング区間を専用レンジング区間として定義する。
【００４６】
第１基地局２００は、レンジング応答メッセージ（ＲＮＧ-ＲＳＰ）１００を伝送した後、レンジング応答メッセージ（ＲＮＧ-ＲＳＰ）を伝送したフレームからランデブー時間が経過した後、第１フレームにおいて移動局１００が専用レンジング処理を行うことができるように、専用レンジング指示子を活性化してＵＬ−ＭＡＰを移動局１００に伝送する（Ｓ１８）。
【００４７】
第１基地局２００からレンジング応答メッセージ（ＲＮＧ-ＲＳＰ）を受信した場合、移動局１００は、移動局１００がレンジング応答メッセージ（ＲＮＧ−ＲＳＰ）を受信したフレームからランデブー時間が経過した後、第１フレームにおいて第１基地局２００からＵＬ−ＭＡＰ（Uplink MAP）を受信する。
【００４８】
移動局１００は、ＵＬ−ＭＡＰから専用レンジング指示子が活性化されたかを確認し、専用レンジング指示子が活性化された場合、レンジング区間がＵＬ−ＭＡＰの専用レンジング区間になっているかを判断する。
【００４９】
次に、移動局１００は、専用レンジング区間の中のレンジング応答メッセージ（ＲＮＧ-ＲＳＰ）の伝送機会オフセットで定義された開始点から始まる割り当てリソースを通して、レンジング応答メッセージ（ＲＮＧ-ＲＳＰ）に含まれているＣＤＭＡコードを第１基地局２００に伝送する（Ｓ２０）。
【００５０】
第１基地局２００は、移動局１００からＣＤＭＡコードを受信し、ＣＤＭＡコードの到着時間に対するタイミング調整値ｔ１を測定する（Ｓ２２）。
【００５１】
第１基地局２００は、第２基地局３００から受信した専用レンジング情報をスキャンニング応答メッセージ（Scanning Response:ＭＯＢ_ＳＣＮ-ＲＳＰ）に含めて、当該移動局１００と第２基地局３００との間の専用レンジングのために、これを当該移動局１００に伝送する（Ｓ２４）。
【００５２】
この時、スキャンニング応答メッセージ（ＭＯＢ_ＳＣＮ-ＲＳＰ）に含まれるランデブー時間は、第１基地局２００が第２基地局３００から受信したランデブー時間から、スキャンニング応答メッセージ（ＭＯＢ_ＳＣＮ-ＲＳＰ）が伝送される時点を減算した時間である。第１基地局２００は、ランデブー時間を変更して当該移動局１００に伝送する。
【００５３】
第２基地局３００は、第２基地局３００が第１基地局２００へ専用レンジング割り当て応答をした時点からランデブー時間が経過した後の第１フレームを、当該移動局１００との専用レンジング処理を実行するフレームに定義し、当該フレームに専用レンジング指示子を活性化して、ＵＬ−ＭＡＰを伝送する。
【００５４】
したがって、レンジング処理を実行するためにアップリンク帯域が割り当てられたレンジング区間は、専用レンジングのための区間に定義される（Ｓ２６）。
【００５５】
当該移動局１００は、移動局１００がスキャンニング応答メッセージ（ＭＯＢ_ＳＣＮ-ＲＳＰ）を受信したフレームからランデブー時間が経過した後の第１フレームで第２基地局３００と同期される。当該移動局１００は、当該フレームで第２基地局３００からＵＬ−ＭＡＰを受信する。また当該移動局１００は、ＵＬ−ＭＡＰの専用レンジング指示子が活性化された場合、当該フレームに割り当てられたレンジング区間内のスキャンニング応答メッセージ（ＭＯＢ_ＳＣＮ-ＲＳＰ）を通して受信した伝送機会オフセットの時点で、スキャンニング応答メッセージ（ＭＯＢ_ＳＣＮ-ＲＳＰ）に含まれているＣＤＭＡコードを第２基地局３００に伝送する（Ｓ２８）。
【００５６】
第２基地局３００は、受信したＣＤＭＡコードを利用して、コード到着時点のタイミング調整値ｔ２および受信コード品質を測定し（Ｓ３０）、コード受信品質結果によるレンジング補正結果をレンジング応答メッセージ（ＲＮＧ-ＲＳＰ）に含めて、これを移動局１００に伝送する（Ｓ３２）。また、第２基地局３００は、タイミング調整値ｔ２を第１基地局２００に伝送する（Ｓ３６）。
【００５７】
第１基地局２００は、タイミング調整値ｔ１、ｔ２を利用して、当該移動局１００と基地局との間のアップリンク到着時間の差を計算し、移動局１００の位置を測定する（Ｓ３６）。
【００５８】
この時、第１基地局２００は、Ｕ−ＴＤＯＡ（Uplink-Time Difference of Arrival）測定方法を利用して、タイミング調整値ｔ１、ｔ２から当該移動局１００と基地局との間の時間差Ｔ＝（ｔ１−ｔ２）／２を測定できる。したがって、第１基地局２００は、時間差Ｔと光の速度との積を利用して、両基地局２００、３００に対する当該移動局１００の距離差を計算して、当該移動局１００の位置を測定できる。
【００５９】
この時、当該移動局１００と第２基地局３００との専用レンジング処理（Ｓ２４〜Ｓ３４）は、第１基地局２００と当該移動局１００との専用レンジング処理（Ｓ１４〜Ｓ２２）より先行して実行することができる。つまり、第２基地局３００から受信したランデブー時間が短すぎてランデブー時間前に第１基地局２００と当該移動局１００との間の専用レンジング処理（Ｓ１４〜Ｓ２２）を実行することができない場合、第２基地局３００と当該移動局１００との間の専用レンジング処理（Ｓ２４〜Ｓ３４）を先に実行することができる。
【００６０】
また、第１基地局２００と第２基地局３００との間の専用レンジング割り当て区間が重ならない場合、第１基地局２００は当該移動局１００と専用レンジング処理（Ｓ１４〜Ｓ２２）を実行する中で、第２基地局３００および当該移動局１００の専用レンジング処理（Ｓ２４〜Ｓ３４）を実行することができる。
【００６１】
また、第１基地局２００および第２基地局３００は、複数の移動局に対して同一のＣＤＭＡコードまたは同一の伝送機会オフセットを割り当てられるが、衝突を防止するために、ＣＤＭＡコードと伝送機会オフセットのうちのいずれかは相違していなければならない。
【００６２】
このように、レンジング処理を利用して専用レンジング区間および専用ＣＤＭＡコードを位置推定が必要な移動局に付与し、専用レンジング区間で専用ＣＤＭＡコードを受信して位置推定を実行することによって、効率的に位置推定ができる。
【００６３】
図２を参照して、周波数再使用係数が１である場合に、レンジング手続を利用した移動局の位置推定方法について説明する。
【００６４】
図２は、本発明の他の実施形態による広帯域無線接続システムにおける移動局の位置測定方法を示す信号フローチャートである。
【００６５】
周波数再使用係数が１である場合、第１基地局２００および第２基地局３００は同一の周波数を使用する。
【００６６】
移動局１００が位置しているセルをカバーする第１基地局２００が、その移動局１００の位置測定が必要であると判断した場合、第１基地局２００は、第２基地局３００に当該移動局１００のための専用レンジング区間の割り当て交渉（negotiate）を要請する。
【００６７】
移動局１００が伝送するＣＤＭＡコードは、同一の周波数で第１および第２基地局２００、３００に伝送されるので、第１および第２基地局２００、３００が同時にＣＤＭＡコードを受信しなければならない。このために、移動局１００がＣＤＭＡコードを伝送する時に、第１基地局２００は、当該移動局１００が利用可能なアップリンク帯域を割り当てなければならないし、第２基地局３００は、第１基地局２００が割り当てたアップリンク帯域と同一のアップリンク帯域を他の移動局（図示省略）に割り当ててはいけない。
【００６８】
第１基地局２００および第２基地局３００は、専用レンジング以前に、割り当てる時間及び専用レンジング区間を交渉する（Ｓ４０）。
【００６９】
第１基地局２００は、第２基地局３００との交渉を通じて決定された専用レンジングパラメータ、つまり、ランデブー時間、ＣＤＭＡコード、伝送機会オフセットおよび電力レベル調整値などをレンジング応答メッセージ（ＲＮＧ-ＲＳＰ）に含めて、このレンジング応答メッセージを当該移動局１００に伝送する（Ｓ４２）。
【００７０】
レンジング応答メッセージ（ＲＮＧ-ＲＳＰ）を伝送した後、第１基地局２００は、レンジング応答メッセージ（ＲＮＧ-ＲＳＰ）を伝送したフレームからランデブー時間が経過した後、第１フレームに専用レンジング区間が割り当てられた（すなわち、専用レンジング指示子が活性化された）ＵＬ−ＭＡＰを当該移動局１００に伝送する（Ｓ４４）。
【００７１】
第２基地局３００は、第１基地局２００が割り当てた帯域のようなアップリンク帯域を他の移動局（図示省略）に割り当てずに、当該移動局１００から伝送されるＣＤＭＡコードの受信を待機する（Ｓ４６）。
【００７２】
図１のように、第１基地局２００からレンジング応答メッセージ（ＲＮＧ-ＲＳＰ）を受信した移動局１００は、レンジング応答メッセージ（ＲＮＧ-ＲＳＰ）を受信したフレームからランデブー時間経過の後、第１フレームの伝送機会オフセット時点にＣＤＭＡコードを第１基地局２００および第２基地局３００に伝送する（Ｓ４８）。
【００７３】
このようなＣＤＭＡコードは、時間差をおいて第１基地局２００および第２基地局３００で受信される。移動局１００が受信したレンジング応答メッセージ（ＲＮＧ-ＲＳＰ）に電力レベル調整値がＴＬＶ形式で含まれている場合、移動局１００は、電力レベル調整値によってＣＤＭＡコードの強さを変更して伝送する。
【００７４】
第１基地局２００および第２基地局３００は、移動局１００からＣＤＭＡコードをそれぞれ受信し、これを利用してＣＤＭＡコード到着時点のタイミング調整値ｔ１、ｔ２をそれぞれ測定する（Ｓ５０、Ｓ５２）。第２基地局３００は、測定したＣＤＭＡコード到着時点のタイミング調整値ｔ２を第１基地局２００に伝送する（Ｓ５４）。
【００７５】
第１基地局２００は、タイミング調整値ｔ１、ｔ２を利用して、当該移動局に対する基地局間のアップリンク到着時間差を計算して、移動局１００の位置を測定する（Ｓ５６）。
【００７６】
第１基地局２００は、図１で示したように、Ｕ-ＴＤＯＡ測定方法でタイミング調整値ｔ１、ｔ２からＴ＝（ｔ１−ｔ２）を演算し、Ｔと光の速度との積を利用して、両基地局２００、３００に対する当該移動局１００の距離差を計算して、当該移動局１００の位置を測定する。この時、第１基地局２００および第２基地局３００が同一のフレームにＣＤＭＡコードを受信するので、Ｔ値は二分しない。
【００７７】
以上、本発明の実施形態について詳細に説明したが、本発明の権利範囲はこれに限定されるのではなく、以下の請求の範囲で定義している本発明の基本概念を利用した当業者の様々な変形および改良形態も本発明の権利範囲に属する。
【００７８】
既存のシステムで使用されるレンジング方式を変更して移動局の位置を測定することによって、費用および効率を改善することができる。
【図１】
2010515916.tif 000004
【図２】
2010515916.tif 000005
【国際調査報告】
2010515916.tif 000006
2010515916.tif 000007